(57)【要約】【課題】原稿の両面を読み取り可能な画像読取記憶装置において、ページメモリの合計容量の増加を抑制しつつ、原稿の片面を読み取る際の速度を高めることが可能な画像読取記憶装置を提供する。【解決手段】画像読取記憶装置１７であって、両面読取指示又は片面読取指示を受け付けた場合に、原稿の一方の面である第１面を光学的に読み取ることにより生成された第１画像データが一時的に格納される第１ページメモリと、両面読取指示を受け付けた場合に、原稿の他方の面である第２面を光学的に読み取ることにより生成された第２画像データが一時的に格納される第２ページメモリとを備え、第１ページメモリの容量は、第２ページメモリの容量よりも大きく、第１ページメモリには、第１画像データ及び第２画像データのうち、第１画像データのみが格納される。【選択図】図４
2010251931.tif 000002
【特許請求の範囲】
【請求項１】
両面読取指示を受け付けた場合に原稿の両面を読み取り、片面読取指示を受け付けた場合に原稿の片面を読み取る画像読取記憶装置であって、
前記両面読取指示又は前記片面読取指示を受け付けた場合に、前記原稿の一方の面である第１面を光学的に読み取ることにより第１画像データを生成する第１画像生成部と、
前記第１画像生成部により生成された第１画像データが一時的に格納される第１ページメモリと、
前記第１ページメモリに格納された第１画像データを読み出し、読み出した第１画像データを圧縮符号化することにより符号列を生成する第１圧縮符号化部と、
前記両面読取指示を受け付けた場合に、前記原稿の他方の面である第２面を光学的に読み取ることにより第２画像データを生成する第２画像生成部と、
前記第２画像生成部により生成された第２画像データが一時的に格納される第２ページメモリと、
前記第２ページメモリに格納された第２画像データを読み出し、読み出した第２画像データを圧縮符号化することにより符号列を生成する第２圧縮符号化部とを備え、
前記第１ページメモリの容量は、前記第２ページメモリの容量よりも大きく、
前記第１ページメモリには、前記第１画像データ及び前記第２画像データのうち、前記第１画像データのみが格納される
画像読取記憶装置。
【請求項２】
前記第１ページメモリは、読み取り可能な最大サイズの原稿の少なくとも２ページ分の画像データに対応する容量を有する
請求項１に記載の画像読取記憶装置。
【請求項３】
前記第１ページメモリの容量と前記第２ページメモリの容量との差分は、読み取り可能な最大サイズの原稿の０．５ページ以上１．５ページ以下の画像データに対応する容量である
請求項１又は２に記載の画像読取記憶装置。
【発明の詳細な説明】
【技術分野】
【０００１】
本発明は、スキャナ装置、コピー機、ファクシミリ装置及び複合機（ＭＦＰ：Ｍｕｌｔｉ  Ｆｕｎｃｔｉｏｎ  Ｐｅｒｉｐｈｅｒａｌｓ）などに設けられる画像読取記憶装置に関し、特に、原稿の両面を読み取り可能な画像読取記憶装置に関する。
【背景技術】
【０００２】
従来、ＡＤＦ（Ａｕｔｏ  Ｄｏｃｕｍｅｎｔ  Ｆｅｅｄｅｒ：自動原稿給紙装置）により供給された原稿の両面を読み取ることができる画像読取記憶装置を備えたスキャナ装置、コピー機、ファクシミリ装置及び複合機などが存在する。このような原稿の両面読み取りを可能とする画像読取記憶装置は、原稿を光学的に読み取るための読み取り手段を原稿の表面と裏面とのそれぞれに対して１つずつ備えることにより、原稿の両面を高速に読み取ることを実現している（例えば、特許文献１を参照）。
【先行技術文献】
【特許文献】
【０００３】
【特許文献１】特開２００５−１６７７２７号公報
【発明の概要】
【発明が解決しようとする課題】
【０００４】
しかしながら、従来の画像読取記憶装置において、原稿の給紙速度が速くなるにしたがって、原稿の表面及び裏面を読み取ることにより生成された画像データを一時的に格納するページメモリの空き容量が不足するという問題が生じる。特に、原稿の片面のみを読み取る際に、上記のページメモリの空き容量不足の問題が顕著となる。このようにページメモリの空き容量が不足した場合、画像読取記憶装置は、原稿の読み取りを中断する必要があるため、原稿の読み取り速度が低下する。
【０００５】
そこで、本発明は、上記課題を解決するためになされたものであり、原稿の両面を読み取り可能な画像読取記憶装置において、ページメモリの合計容量の増加を抑制しつつ、原稿の片面を読み取る際の速度を高めることが可能な画像読取記憶装置を提供することを目的とする。
【課題を解決するための手段】
【０００６】
上記目的を達成するために、本発明に係る画像読取記憶装置は、両面読取指示を受け付けた場合に原稿の両面を読み取り、片面読取指示を受け付けた場合に原稿の片面を読み取る画像読取記憶装置であって、前記両面読取指示又は前記片面読取指示を受け付けた場合に、前記原稿の一方の面である第１面を光学的に読み取ることにより第１画像データを生成する第１画像生成部と、前記第１画像生成部により生成された第１画像データが一時的に格納される第１ページメモリと、前記第１ページメモリに格納された第１画像データを読み出し、読み出した第１画像データを圧縮符号化することにより符号列を生成する第１圧縮符号化部と、前記両面読取指示を受け付けた場合に、前記原稿の他方の面である第２面を光学的に読み取ることにより第２画像データを生成する第２画像生成部と、前記第２画像生成部により生成された第２画像データが一時的に格納される第２ページメモリと、前記第２ページメモリに格納された第２画像データを読み出し、読み出した第２画像データを圧縮符号化することにより符号列を生成する第２圧縮符号化部とを備え、前記第１ページメモリの容量は、前記第２ページメモリの容量よりも大きく、前記第１ページメモリには、前記第１画像データ及び前記第２画像データのうち、前記第１画像データのみが格納される。
【０００７】
これによって、ページメモリの合計容量の増加を抑制しつつ第１ページメモリの容量を増加できるので、原稿の片面を読み取る場合に、ページメモリの空き容量不足による読み取りの中断を回避することができる。つまり、原稿の片面を読み取る際の速度を高めることが可能となる。
【０００８】
また、前記第１ページメモリは、読み取り可能な最大サイズの原稿の少なくとも２ページ分の画像データに対応する容量を有することが好ましい。
【０００９】
これによって、原稿の片面を読み取る際に利用するページメモリの容量が最大原稿サイズの２ページ以上となる。したがって、仮に、ページメモリに格納された画像データの読み出し処理がまったく行われなかった場合であっても、２枚の原稿は中断されることなく読み取ることが可能となる。
【００１０】
また、前記第１ページメモリの容量と前記第２ページメモリの容量との差分は、読み取り可能な最大サイズの原稿の０．５ページ以上１．５ページ以下の画像データに対応する容量であることが好ましい。
【００１１】
これによって、片面読み取り時の読み取り速度が低下するときの原稿枚数と両面読み取り時の読み取り速度が低下するときの原稿枚数との均衡を図ることが可能となる。
【発明の効果】
【００１２】
以上の説明から明らかなように、本発明に係る画像読取記憶装置は、原稿の両面を読み取り可能な画像読取記憶装置において、ページメモリの合計容量の増加を抑制しつつ、原稿の片面を読み取る際の速度を高めることを可能とする。
【図面の簡単な説明】
【００１３】
【図１】本発明の実施の形態に係る画像読取記憶装置を備える複合機の外観図である。
【図２】本発明の実施の形態に係る画像読取記憶装置の主要な機械構成を示す断面図である。
【図３】本発明の実施の形態に係る画像読取記憶装置の第２画像読取部の詳細を示す図である。
【図４】本発明の実施の形態に係る画像読取記憶装置を備える複合機の特徴的な機能構成を示すブロック図である。
【図５】本発明の実施の形態に係る画像読取記憶装置が備える第１画像処理部の処理の流れを示すフローチャートである。
【発明を実施するための形態】
【００１４】
以下に、本発明の実施の形態について、図面を参照しながら説明する。ここでは、本発明に係る画像読取記憶装置を備える複合機を一例として説明する。
【００１５】
図１は、本発明の実施の形態に係る画像読取記憶装置１７を備える複合機１の外観図である。
【００１６】
複合機１は、プリンタ、ファクシミリ及びスキャナ機能を有する。例えば、複合機１は、原稿を光学的に読み取ることにより符号列を生成し、生成した符号列が示す画像を原稿とは異なる紙媒体に複写する。図１に示すように、複合機１は、操作パネル１５、ディスプレイ１６及び画像読取記憶装置１７を備える。
【００１７】
操作パネル１５は、ユーザからの操作を受け付けるパネルである。例えば、操作パネル１５は、両面読み取りの指示又は片面読み取りの指示を受け付ける。ここで両面読み取りとは、原稿の両面（表面及び裏面）を読み取ることを示す。また、片面読み取りとは、原稿の両面のうち表面のみを読み取ることを示す。
【００１８】
ディスプレイ１６は、液晶表示装置（Ｌｉｑｕｉｄ  Ｃｒｙｓｔａｌ  Ｄｉｓｐｌａｙ：ＬＣＤ）等であり、ユーザとの対話に使用される。また、ディスプレイ１６は、複合機１の動作状態を表示する。
【００１９】
画像読取記憶装置１７は、ファクシミリを送信する原稿又はプリンタに出力する原稿を光学的に読み取ることにより、符号列を生成する装置である。なお、本実施の形態に係る画像読取記憶装置１７は、Ａ３サイズまでのカラー原稿を読み取ることができる。
【００２０】
図２は、図１に示す複合機１に組み込まれた画像読取記憶装置１７の主要な機械構成を示す断面図である。図２に示すように、画像読取記憶装置１７は、ＡＤＦ部２１と、第１画像読取部２２と、第２画像読取部２３とを備える。
【００２１】
ＡＤＦ部２１は、原稿供給トレイ５２と、搬送ローラ５４、５８及び６０と、原稿排出トレイ６４とを備える。原稿供給トレイ５２に載置された複数枚の原稿５０は、搬送ローラ５４により１枚ずつ搬送路５６に搬入される。そして、搬送路５６に搬入された各原稿５０は、搬送路５６に沿って配置された複数の搬送ローラ５８及び６０により、原稿排出トレイ６４まで搬送される。
【００２２】
第１画像読取部２２は、操作パネル１５が原稿５０の片面読み取り又は両面読み取りの指示を受け付けた場合、ＡＤＦ部２１により搬送路５６を搬送される各原稿５０の表面を光学的に読み取る。第１画像読取部２２は、走査部７９と、第２ミラー８３及び第３ミラー８５と、第１光学レンズ８７と、第１光電変換素子８９とを備える。
【００２３】
ここで、原稿５０の表面は、原稿の一方の面である第１面に相当する。本実施の形態では、原稿５０の表面は、原稿供給トレイ５２に載置された原稿５０の上側の面（Ｙ軸の正側の面）である。
【００２４】
走査部７９は、第１光源８０と、第１ミラー８１とを備える。第１光源８０は、例えば、ＬＥＤ（Ｌｉｇｈｔ  Ｅｍｉｔｔｉｎｇ  Ｄｉｏｄｅ）であり、ＡＤＦ部２１により搬送路５６を搬送されている原稿５０が表面読取スリット７７を通過する際に、透光性の第１コンタクトガラス７６に接する原稿５０の表面に光を照射する。第１ミラー８１は、表面読取スリット７７を通過する原稿５０の表面からの反射光を第２ミラー８３の方向へ偏向する。
【００２５】
第１光学レンズ８７は、第１ミラー８１、第２ミラー８３及び第３ミラー８５を介して受光した原稿５０の表面からの反射光を第１光電変換素子８９の受光面に結像させる。
【００２６】
第１光電変換素子８９は、例えばＣＣＤ（Ｃｈａｒｇｅ  Ｃｏｕｐｌｅｄ  Ｄｅｖｉｃｅ）イメージセンサ又はＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）イメージセンサ等であり、受光面に受光した光を電気信号に変換することにより、原稿５０の表面を読み取る。
【００２７】
第２画像読取部２３は、操作パネル１５が原稿５０の両面読み取りの指示を受け付けた場合、ＡＤＦ部２１により搬送路５６を搬送される各原稿５０の裏面を光学的に読み取る。
【００２８】
ここで、原稿５０の裏面は、原稿の他方の面である第２面に相当する。本実施の形態では、原稿５０の裏面は、原稿供給トレイ５２に載置された原稿５０の下側の面（Ｙ軸の負側の面）である。
【００２９】
図３は、本発明の実施の形態に係る画像読取記憶装置１７の第２画像読取部２３の詳細を示す図である。図３に示すように、第２画像読取部２３は、第２光源９５と、第２光学レンズ９７と、第２光電変換素子９９とを備える。
【００３０】
第２光源９５は、例えば、ＬＥＤであり、ＡＤＦ部２１により搬送路５６を搬送されている原稿５０が透光性の第２コンタクトガラス９１に接しながら裏面読取スリット７２を通過する際に、原稿５０の裏面に光を照射する。
【００３１】
第２光学レンズ９７は、裏面読取スリット７２を通過する原稿５０の裏面からの反射光を第２光電変換素子９９の受光面に結像させる。
【００３２】
第２光電変換素子９９は、例えばＣＣＤイメージセンサ又はＣＭＯＳイメージセンサ等であり、受光面に受光した光を電気信号に変換することにより、原稿５０の裏面を読み取る。
【００３３】
このように、本実施の形態に係る画像読取記憶装置１７は、搬送路５６を通過する原稿５０の表面と裏面とをそれぞれ異なる画像読取部（第１画像読取部２２及び第２画像読取部２３）により読み取る。そのため、本実施の形態の画像読取記憶装置１７は、搬送路５６を１度通過させるだけで両面の読み取りを完了させることができるので、高速に原稿の両面を読み取ることが可能となる。
【００３４】
図４は、本発明の実施の形態に係る画像読取記憶装置１７を備える複合機１の特徴的な機能構成を示すブロック図である。つまり、図４は、複合機１が有する機能のうち、本発明に関わる機能を示すブロック図である。図４に示すように、画像読取記憶装置１７が備える制御部１００は、第１画像処理部１１０と第２画像処理部１２０とを備える。
【００３５】
まず、第１画像処理部１１０について説明する。
【００３６】
第１画像処理部１１０は、原稿の表面を読み取る第１画像読取部２２の近傍に設けられた基板に実装された集積回路等により実現される構成部である。第１画像処理部１１０は、第１画像生成部１１１、第１ページメモリ制御部１１２、第１ページメモリ１１３、及び第１圧縮符号化部１１４を備える。
【００３７】
第１画像生成部１１１は、原稿５０の表面を光学的に読み取ることにより第１画像データを生成する。具体的には、第１画像生成部１１１は、操作パネル１５が片面読み取り又は両面読み取りの指示を受け付けた場合に、第１画像読取部２２を制御することにより、搬送路５６を搬送される原稿５０の表面の画像を示す電気信号を第１光電変換素子８９から取得する。そして、第１画像生成部１１１は、第１光電変換素子８９から取得した電気信号をＡ／Ｄ変換等することにより第１画像データを生成する。
【００３８】
第１ページメモリ制御部１１２は、第１ページメモリ１１３とのデータ転送を制御する。具体的には、第１ページメモリ制御部１１２は、第１画像生成部１１１により生成された第１画像データを第１ページメモリ１１３に格納する。また、第１ページメモリ制御部１１２は、第１ページメモリ１１３に格納された第１画像データを、第１圧縮符号化部１１４からの求めに応じて読み出す。
【００３９】
なお、第１ページメモリ制御部１１２は、まだ読み出されていない第１画像データが格納されている記憶領域には、新たな第１画像データを格納できない。したがって、第１ページメモリ制御部１１２は、新たな第１画像データを格納する記憶領域を確保できない場合がある。その場合には、第１ページメモリ制御部１１２は、第１画像生成部１１１に原稿５０の読み取り又は第１画像データの生成を中断するように指示する。したがって、第１ページメモリ１１３の容量が大きいほど、第１画像生成部１１１は、処理を中断されることなく、高速に原稿５０の表面の内容を示す第１画像データを生成することが可能となる。
【００４０】
第１ページメモリ１１３は、第１画像生成部１１１により生成された第１画像データが一時的に格納される揮発性の記憶領域等を有する、読み書き可能なメモリである。ここで、第１ページメモリ１１３の容量は、後述する第２ページメモリ１２３の容量よりも大きい。
【００４１】
なお、本実施の形態に係る画像読取記憶装置１７を備える複合機１を実際に製造及び試験した際には、第１ページメモリ１１３の容量は、Ａ３サイズの原稿の２．４ページ分の画像データに対応する容量とした。つまり、第１ページメモリ１１３は、読み取り可能な最大サイズ（Ａ３サイズ）の原稿の２ページ分以上の画像データに対応する容量を有する。したがって、画像読取記憶装置１７は、ページメモリに格納された画像データの読み出し処理が中断された場合であっても、２枚以上の原稿を読み取ることができた。すなわち、画像読取記憶装置１７は、一般的にコピー又はファクシミリ送信等を行う際に読み取られることが多い２ページ以下の原稿であれば、ページメモリからの画像データの読み出し処理が滞った場合であっても、中断することなく原稿を読み取ることができた。
【００４２】
第１圧縮符号化部１１４は、第１ページメモリ制御部１１２により第１ページメモリ１１３から読み出された第１画像データを、ＪＰＥＧ、ＪＢＩＧなどの圧縮符号化方式に従って圧縮符号化することにより、符号列を生成する。
【００４３】
次に、第２画像処理部１２０について説明する。
【００４４】
第２画像処理部１２０は、原稿の裏面を読み取る第２画像読取部２３の近傍に設けられた基板に実装された集積回路により実現される構成部である。第２画像処理部１２０は、第２画像生成部１２１、第２ページメモリ制御部１２２、第２ページメモリ１２３、及び第２圧縮符号化部１２４を備える。
【００４５】
第２画像生成部１２１は、原稿５０の裏面を光学的に読み取ることにより第２画像データを生成する。具体的には、第２画像生成部１２１は、操作パネル１５が原稿５０の両面読み取りの指示を受け付けた場合、第２画像読取部２３を制御することにより、搬送路５６を搬送される原稿５０の裏面の画像を示す電気信号を第２光電変換素子９９から取得する。そして、第２画像生成部１２１は、第２光電変換素子９９から取得した電気信号をＡ／Ｄ変換等することにより第２画像データを生成する。
【００４６】
第２ページメモリ制御部１２２は、第２ページメモリ１２３とのデータ転送を制御する。具体的には、第２ページメモリ制御部１２２は、第２画像生成部１２１により生成された第２画像データを第２ページメモリ１２３に格納する。また、第２ページメモリ制御部１２２は、第２ページメモリ１２３に格納された第２画像データを、第２圧縮符号化部１２４からの求めに応じて読み出す。
【００４７】
第２ページメモリ１２３は、第２画像生成部１２１により生成された第２画像データが一時的に格納される揮発性の記憶領域等を有する、読み書き可能なメモリである。
【００４８】
なお、本実施の形態の複合機１を実際に製造及び試験した際には、第２ページメモリ１２３の容量は、Ａ３サイズの原稿の１．４ページ分の画像データに対応する容量とした。このように第１ページメモリ１１３と第２ページメモリ１２３との容量の差を、Ａ３サイズの原稿の０．５〜１．５ページの画像データに対応する容量とすることにより、片面読み取り時の読み取り速度が低下するときの原稿枚数と両面読み取り時の読み取り速度が低下するときの原稿枚数との均衡を図ることができた。
【００４９】
第２圧縮符号化部１２４は、第２ページメモリ制御部１２２により第２ページメモリ１２３から読み出された第２画像データを、ＪＰＥＧ、ＪＢＩＧなどの圧縮符号化方式に従って圧縮符号化することにより、符号列を生成する。
【００５０】
画像メモリ制御部１３１は、画像メモリ１３２とのデータ転送を制御する。具体的には、画像メモリ制御部１３１は、第１圧縮符号化部１１４又は第２圧縮符号化部１２４により生成された符号列を画像メモリ１３２に格納する。また、画像メモリ制御部１３１は、画像メモリ１３２に格納された符号列を、第３画像処理部１３３からの求めに応じて読み出す。
【００５１】
画像メモリ１３２は、ＲＡＭ（Ｒａｎｄｏｍ  Ａｃｃｅｓｓ  Ｍｅｍｏｒｙ）である。具体的には、画像メモリ１３２は、第１圧縮符号化部１１４又は第２圧縮符号化部１２４により生成された符号列を一時的に格納する揮発性の記憶領域等を有する読み書き可能なメモリである。
【００５２】
第３画像処理部１３３は、画像メモリ制御部１３１により画像メモリ１３２から読み出された符号列を復号し、復号後の画像データが示す画像の拡大、縮小又はスムージングを行う。また、第３画像処理部１３３は、復号後の画像データをモデム１３又はプリンタ１８に出力する。
【００５３】
モデム１３は、ファクシミリ送信される画像データを変調する、或いは外部からファクシミリ送信されてきた画像データを復調するファックスモデムである。具体的には、モデム１３は、例えば、第３画像処理部１３３により出力された画像データを変調する。
【００５４】
プリンタ１８は、印刷装置であり、第３画像処理部１３３により出力された画像データを印刷する。また、プリンタ１８は、他のファクシミリ装置等からＰＳＴＮ（Ｐｕｂｌｉｃ  Ｓｗｉｔｃｈｅｄ  Ｔｅｌｅｐｈｏｎｅ  Ｎｅｔｗｏｒｋｓ：公衆電話交換回線網）を介して送信されてきた画像データを印刷する。
【００５５】
次に、以上のように構成された複合機１における各種動作について説明する。
【００５６】
図５は、本発明の実施の形態に係る画像読取記憶装置１７が備える第１画像処理部１１０の処理の流れを示すフローチャートである。図５に示すフローチャートは、複合機１がユーザから片面読み取りの指示を受け付けた場合に、原稿供給トレイ５２に載置された複数枚の原稿５０を読み取る際の１枚の原稿５０に着目したときの処理の流れを示す。
【００５７】
まず、第１ページメモリ制御部１１２は、これから読み取る原稿５０の画像データを、第１ページメモリ１１３に格納することができるだけの空き容量が存在するか否かを判定する（ステップＳ１０１）。具体的には、第１ページメモリ制御部１１２は、例えば、読み取り可能な原稿の最大サイズに対応する画像データを格納することができる空き容量が第１ページメモリ１１３に存在するか否かを判定する。
【００５８】
ここで、空き容量が存在しない場合（ステップＳ１０１のＮｏ）、空き容量が存在するようになるまで、ステップＳ１０１の処理を繰り返す。一方、空き容量が存在する場合（ステップＳ１０１のＹｅｓ）、制御部１００は、ＡＤＦ部２１を制御することにより、原稿供給トレイ５２に載置された原稿５０の搬送を開始する（ステップＳ１０２）。
【００５９】
続いて、第１画像生成部１１１は、第１画像読取部２２に原稿５０の表面を読み取らせ、第１画像データを生成する（ステップＳ１０３）。そして、第１ページメモリ制御部１１２は、第１画像生成部１１１により生成された第１画像データを第１ページメモリ１１３に格納する（ステップＳ１０４）。
【００６０】
次に、第１ページメモリ制御部１１２は、第１ページメモリ１１３に格納された第１画像データを読み出し、第１圧縮符号化部１１４へ出力する（ステップＳ１０５）。そして、第１圧縮符号化部１１４は、読み出された第１画像データを圧縮符号化することにより、符号列を生成する（ステップＳ１０６）。
【００６１】
画像読取記憶装置１７は、ステップＳ１０１〜ステップＳ１０６の処理をパイプライン処理することにより、複数枚の原稿５０を高速に読み取ることが可能となる。なお、図５では、片面読み取りの場合について説明したが、両面読み取りの場合は、第２画像処理部１２０も第１画像処理部１１０と同様の処理を行う。
【００６２】
上記に示すように、画像読取記憶装置１７は、ページメモリに空きがなければ、原稿５０を読み取ることができない。したがって、画像読取記憶装置１７は、ページメモリの空き容量が大きいほど、原稿５０の読み取りが中断される可能性が低くなる。つまり、複合機１は、ページメモリの空き容量が大きいほど、複数枚の原稿５０を高速に読み取ることが可能となる。
【００６３】
ここで、本実施の形態に係る画像読取記憶装置１７において、第１ページメモリ１１３の容量（例えば、２．４ページ）は、第２ページメモリ１２３の容量（例えば、１．４ページ）より大きい。したがって、複合機１は、ページメモリの合計容量（例えば、３．８ページ）が複合機１と同じ複合機であって、第１ページメモリ１１３の容量と第２ページメモリ１２３の容量とが同じ複合機（例えば、１．９ページ×２）よりも、片面読み取りの場合に、高速に複数枚の原稿５０を読み取ることができる。つまり、画像読取記憶装置１７は、ページメモリの合計容量の増加を抑制しつつ、片面読み取りの速度を高めることができる。
【００６４】
一般的な複合機において、片面読み取りは、両面読み取りよりも実行される頻度が高い。したがって、本実施の形態に係る画像読取記憶装置１７を備える複合機１は、ユーザにとって利便性が高い複合機である。
【００６５】
また、片面読み取りの場合は、両面読み取りの場合よりも、第１圧縮符号化部１１４が生成した符号列を利用する後続の処理（例えば、プリンタ１８による印刷処理など）がボトルネックとなる可能性が低い。したがって、片面読み取りの場合は、読み取り性能が複合機の全体の性能を左右する可能性が高い。したがって、本実施の形態に係る画像読取記憶装置１７を備える複合機１は、ページメモリの合計容量の増加を抑制しつつ、コピー機能などの機能を高速化することも可能となる。
【００６６】
なお、本実施の形態に係る画像読取記憶装置１７において、第１ページメモリ１１３及び第２ページメモリ１２３のそれぞれは、原稿５０の表面及び裏面のうち片方の面の画像データのみが格納される。つまり、第１ページメモリ１１３は原稿の表面専用であり、第２ページメモリ１２３は原稿の裏面専用である。これにより、ページメモリの制御が容易となるので、第１ページメモリ制御部１１２及び第２ページメモリ制御部１２２は、ページメモリへの画像データの高速な書き込み及び読み取りを実現することが可能となる。
【００６７】
以上、本発明に係る画像読取記憶装置について、実施の形態に基づいて説明したが、本発明は、これらの実施の形態に限定されるものではない。本発明の趣旨を逸脱しない限り、当業者が思いつく各種変形を本実施の形態に施したものも、本発明の範囲内に含まれる。
【００６８】
例えば、上記実施の形態では、表面読取スリット７７が裏面読取スリット７２よりも搬送路５６の上流に設けられていたが、裏面読取スリット７２が上流に設けられてもよい。すなわち、第１画像読取部２２が原稿５０の表面を読み取る前に、第２画像読取部２３が原稿５０の裏面を読み取ってもよい。この場合であっても、第１ページメモリ１１３の容量が第２ページメモリ１２３の容量よりも大きいことにより、画像読取記憶装置は、上記実施の形態の画像読取記憶装置１７と同様の効果を奏する。
【産業上の利用可能性】
【００６９】
本発明に係る画像読取記憶装置は、原稿の両面を読み取り可能なスキャナ装置、コピー機、ファクシミリ装置及び複合機に適用することができる。
【符号の説明】
【００７０】
１  複合機
１３  モデム
１５  操作パネル
１６  ディスプレイ
１７  画像読取記憶装置
１８  プリンタ
２１  ＡＤＦ部
２２  第１画像読取部
２３  第２画像読取部
５０  原稿
５２  原稿供給トレイ
５４、５８、６０  搬送ローラ
５６  搬送路
６４  原稿排出トレイ
７２  裏面読取スリット
７７  表面読取スリット
７９  走査部
８０  第１光源
８１  第１ミラー
８３  第２ミラー
８５  第３ミラー
８７  第１光学レンズ
８９  第１光電変換素子
９１  第２コンタクトガラス
９５  第２光源
９７  第２光学レンズ
９９  第２光電変換素子
１００  制御部
１１０  第１画像処理部
１１１  第１画像生成部
１１２  第１ページメモリ制御部
１１３  第１ページメモリ
１１４  第１圧縮符号化部
１２０  第２画像処理部
１２１  第２画像生成部
１２２  第２ページメモリ制御部
１２３  第２ページメモリ
１２４  第２圧縮符号化部
１３１  画像メモリ制御部
１３２  画像メモリ
１３３  第３画像処理部
【図１】
2010251931.tif 000003
【図２】
2010251931.tif 000004
【図３】
2010251931.tif 000005
【図４】
2010251931.tif 000006
【図５】
2010251931.tif 000007